(57)【要約】【課題】前蓋の前面壁の裏面に、磁気テープが密着状に貼り付くことを確実に防止できるテープカートリッジを得る。【解決手段】本体ケース１の前面のテープローディング用ポケット５の存在領域において、前蓋７の前面壁９の裏面１３側に、テープ２が前記裏面１３に貼り付くのを防止するための規制体１５を一体に突設する。規制体１５は、前記裏面１３からの突出寸法が大小に異なる二種のリブ１６・１７を含む。各リブ１６・１７の先端部は、断面円弧状に凸曲形成されている。これら二種のリブ１６・１７は、左右方向に一定ピッチで交互に配してある。【選択図】図１
2006294138.tif 000002
【特許請求の範囲】
【請求項１】
本体ケースの前面中央にテーブローディング用のポケットを有し、前記本体ケースに前記ポケットの前面外側を覆うテープ保護用の前蓋を備えたテープカートリッジにおいて、
前記前蓋の前面板の裏面には、前記ポケットに臨む領域にテープの貼り付きを防止するための規制体が、一体に突設されており、
前記規制体は、左右方向に所定間隔を置いて配置された、上下方向に走る複数本のリブを含み、
各リブの先端面が、断面円弧状に凸曲形成されていることを特徴とするテープカートリッジ。
【請求項２】
前記規制体は、前記前蓋の前記前面板の前記裏面からの突出寸法が大小に異なる二種のリブを含み、
これら二種のリブが、左右方向に一定ピッチで交互に配されている請求項１記載のテープカートリッジ。
【発明の詳細な説明】
【技術分野】
【０００１】
本発明は、本体ケースの前面中央にテープローディング用のポケットを有し、本体ケースに該ポケットの前面外側を覆うテープ保護用の前蓋を備えたテープカートリッジに関する。
【背景技術】
【０００２】
この種のテープカートリッジでは、外部衝撃を受けると、本体ケースに内蔵のテープリールが不用意に回転し、ケース本体の前面に弛み出たテープが、静電気を帯びた前蓋の前面壁の裏面に強固に貼り付くことがある。
【０００３】
このようなテープ貼り付き現象が生じていると、テープカートリッジをテープデッキに装填して、前蓋を上開き揺動したときに、テープが前面壁とともにテープリールから引き出される。このため、テープローディング時等において所謂ジャミング現象を起こし、デッキが作動不能になったり、テープの損傷や、テープデッキからのテープカートリッジのイジェクト動作不良を引き起こす。かかる不具合は、例えば、帯電防止剤を含む樹脂材料で前蓋を成形することで解決できるが、その場合にはテープカートリッジの製造コストが上昇する。
【０００４】
前蓋の前面壁の裏面は、一般に平滑面すなわち鏡面に仕上がっている。そのため、テープカートリッジの使用環境等によって前蓋の裏面に僅かな水分が付着した場合にも、先と同様に前蓋の裏面にテープが強固に貼り付くことがある。この場合、帯電防止剤を含む樹脂材料で前蓋を成形するだけでは解決できない。
【０００５】
かかる観点から、本発明の基本的な狙いは、静電気や水分の影響を受けて、前蓋の裏面にテープが貼り付く現象を防止するために、前蓋の裏面を凹凸状にすることにある。この種の従来技術に特許文献１や特許文献２がある。
【０００６】
特許文献１では、前蓋の前面壁の裏面に、後ろ向きの開口を有する凹部を段付き状に凹み形成することにより、該凹部の凹み寸法分だけテープとの対向間隔寸法を大きくとって、前面壁の裏面にテープが貼り付くのを防いでいる。
【０００７】
特許文献２では、前面壁の裏面に、凸部を形成することにより、テープと裏面との接触面積を小さくして、テープが貼り付くのを防いでいる。そこでの凸部は、フラットな先端面を有する断面四角形状に形成されておいる。また、凸部を断面三角形状としたものもある（特許文献１の図１２、および特許文献２の図２参照）。
【０００８】
【特許文献１】特開平８−２９３１８２号公報（段落番号００２２、図５、図１２）
【特許文献２】特開平７−１４７０７５号公報（段落番号００３１、図２、図６）
【発明の開示】
【発明が解決しようとする課題】
【０００９】
特許文献１の形態では、テープカートリッジに落下衝撃等が加わり、テープが大きく弛み出てそれが凹部の内面にまで接触するに到ると、凹部の内面にテープが密着する。つまり、凹部の凹み寸法分だけテープとの対向間隔寸法を稼ぐ形式では、この対向間隔寸法を超えてテープが弛み出たときに、なおテープが凹みの内面に貼り付くおそれがある。特許文献２の形態では、フラットな先端面の面積が大きいと、該先端面にテープが貼り付くおそれがある。断面四角形状や断面三角形状のごとく、凸部が角張ったコーナー部を有する形式だと、そこにテープが接触して損傷し、記録再生不良を招きやすい。
【００１０】
本発明の目的は、前蓋の前面板の裏面に、テープの貼り付きを防止するための規制体を一体に突設する形式のテープカートリッジにおいて、テープの損傷を確実に防ぎながら、テープが前蓋の前面壁の裏面に貼り付くことを確実に防止することにある。
【課題を解決するための手段】
【００１１】
本発明は、図２および図３に示すごとく、本体ケース１の前面側中央にテープローディング用のポケット５を有し、本体ケース１にポケット５の前面外側を覆うテープ保護用の前蓋７を備えたテープカートリッジにおいて、図１および図５に示すように、前記前蓋７の前面板９の裏面１３には、前記ポケット５に臨む領域にテープ２の貼り付きを防止するための規制体１５が、一体に突設されており、この規制体１５が、左右方向に所定間隔を置いて配置された、上下方向に走る複数本のリブ（１６・１７）を含み、各リブ（１６・１７）の先端面が、断面円弧状に凸曲形成されていることを特徴とする。
【００１２】
前記規制体１５としては、前記前蓋７の前面板９の裏面１３からの突出寸法が大小に異なる二種のリブ１６・１７を含み、これら二種のリブ１６・１７が、左右方向に一定ピッチで交互に配されたものにすることができる。
【発明の効果】
【００１３】
本発明では、前蓋７の前面壁９の裏面１３側に、上下方向に走る複数本のリブ１６・１７が突設されているので、裏面１３がフラットな従来形態に比べて、裏面１３とテープ２との接触面積が可及的に小さくなり、該裏面１３にテープ２が密着状に貼り付くことを効果的に阻止できる。そのうえで、各リブ１６・１７の先端は、断面円弧状に凸曲形成されているので、特許文献２の図５に示す形態のように、リブがフラットな先端面を有する断面四角形状の場合に比べて、リブ１６・１７に対するテープ２の接触面積を格段に小さくできるため、テープ２がリブ１６・１７に密着状に貼り付くことを良く防止できる。テープ２を傷つけることもない。
【００１４】
前蓋７の裏面１３からの突出寸法が大小に異なる二種のリブ１６・１７が交互に配されていると、前蓋７が微弱な静電気を帯びている場合には、裏面１３からの突出寸法が大きいリブ１６だけでテープ２を受け止めて、テープ２が裏面１３側への移行するのを規制する（図６（ａ）参照）。これによれば、突出寸法の等しいリブを複数本列設した形式に比べて、テープのリブに対する接触面積を略半分にできるため、リブ１６の先端を断面円弧状に凸曲形成したことと相俟って、リブ１６に対するテープ２の貼り付きを効果的に阻止できる。前蓋７が大量の静電気を帯びている場合には、前記リブ１６・１６間に設けた突出寸法の小さなリブ１７でも、裏面１３へ誘引され貼り付こうとするテープ２を受け止めて、裏面１３にテープ２が密着するのを阻止できる（図６（ｂ）参照）。
【００１５】
前蓋７の裏面１３に複数本のリブ１６・１７を一体成形するだけの簡単な構造で、テープ２の貼り付きを確実に防止できるため、製造コストの増加を招くことがなく、安価に高品質なテープカートリッジを提供できる。帯電防止剤を含む樹脂で前蓋を形成する場合のように、前蓋７の材料コストが大幅に増加することもない。
【発明を実施するための最良の形態】
【００１６】
図面は、本発明に係るテープカートリッジをコンピュータデータのバックアップ用のＤＤＳ（デジタル・データー・ストレージ）に適用した実施例を示しており、上下ケース１ａ・１ｂを蓋合わせ状に結合してなる中空箱状の本体ケース１の内部に、磁気テープ（テープ）２を巻き取る左右一対のテープリール３・３やリールロック機構などを有する。
【００１７】
ケース本体１の前面中央には、下面および前面が開口するテープローディング用のポケット５が凹み形成されている。一方のテープリール３から繰り出したテープ２は、左右一対のテープガイド６・６を介して他方のテープリール３へと移行案内される。テープガイド６・６は、ポケット５の前面左右に設けられており、不使用時のテープ２は、該ポケット５の前面を左右に横切る状態で保持されている。
【００１８】
不使用時においてポケット５の前面外側に臨むテープ２を保護するために、ポケット５の前面および上面を前蓋７で覆い、下面側をシャッター８で覆っている。
【００１９】
図２および図３において前蓋７は、ポケット５の開口前面を含んで本体ケース１を左右間にわたって覆う前面板９と、該前面板９の左右端からケース後方へ伸びるよう一体に連設された連結片１０とを含むプラスチック成形品である。左右の連結片１０の各内面には、内向き対向状に支軸１１が突設されており、これら支軸１１を上ケース１ａの左右側壁に設けた軸孔で回動自在に支持する。これにより、前蓋７の全体は、図４においてポケット５を塞ぐ実線の閉姿勢と、ポケット５の上面よりも更に上方に位置して、該ポケット５の開口前面を開く仮想線の開姿勢との間にわたって開閉操作できる。なお、前蓋７は、一方の支軸１１に装着した図外のねじりコイルばねで閉じ勝手に回動付勢されており、シャッター８で開放不能に受け止め支持されている。
【００２０】
図２においてシャッター８は本体ケース１の下面に配置されて、本体ケース１に前後スライド自在に支持してあり、不使用状態には、本体ケース１に設けた図外のロック爪で開放不能にロック保持されている。不使用時におけるシャッター８は、ポケット５の下面側を覆うと同時に、テープリール３・３の取り付け位置に対応して本体ケース１の下面に開口した駆動軸挿入孔を覆っている。ロック爪をロック解除操作してシャッター８をケース後方へ開放操作すると、前記ポケット５と、駆動軸挿入穴とを開放できる。図３において符号１２は駆動軸挿入孔を開放するための開口を示す。
【００２１】
図１において前蓋７の前面壁９には、少なくともポケット５に臨む領域において、テープ２と対向する裏面１３側に、テープ２の貼り付きを防止するための規制体１５が一体に突設されている。
【００２２】
図５において規制体１５は、前面壁９の裏面１３からの内向き突出寸法が大小に異なる二種の縦向きリブ１６・１７を含む。各リブ１６・１７の先端部は、断面円弧状に凸曲形成されている。これら大小二種のリブ１６・１７は、左右方向に一定ピッチで交互に配されており、図４に示すように前蓋７を閉姿勢としたとき、テープガイド６・６間に架け渡された状態でポケット５の前面に位置するテープ２と近接対向する。換言すれば、前蓋７を閉姿勢としたときに、大リブ１６が適度な間隔を置いてテープ２と近接対向ないし接触するように、大リブ１６の突出寸法を規定してある。
【００２３】
このように、前蓋７の前面壁９の裏面１３側に、複数本のリブ１６・１７が突設されていると、裏面１３がフラットな形式に比べて該当の裏面１３に対するテープ２の接触面積が可及的に小さくなり、該裏面１３にテープ２が密着状に貼り付くことを効果的に阻止できる。各リブ１６・１７の先端は断面円弧状に凸曲形成されているので、リブ１６・１７に対するテープ２の接触面積が格段に小さくなり、この点でもテープ２がリブ１６・１７に密着状に貼り付くことを良く防止できる。
【００２４】
したがって、テープデッキにテープカートリッジを装填して、前蓋７を上開き操作したときに、前面壁９とともにテープ２が不用意に引き出されることがない。リブ１６・１７に接触することによるテープ２の損傷も効果的に防ぐことができる。
【００２５】
前蓋９の裏面１３からの突出寸法が大小に異なる二種のリブ１６・１７が交互に配されていると、前蓋７が微弱な静電気を帯びている場合には、裏面１３からの突出寸法が大きなリブ１６だけでテープ２を受け止める（図６（ａ）参照）。
【００２６】
前蓋７が大量の静電気を帯びている場合には、隣接する大リブ１６・１６間に設けた突出寸法の小さなリブ１７でも、裏面１３へ誘引されて貼り付こうとするテープ２を受け止めて、裏面１３にテープ２が密着するのを阻止できる（図６（ｂ）参照）。したがって、このように大量の静電気を帯びている場合にも、裏面１３にテープ２が密着することを簡単な構成で確実に阻止できる。
【００２７】
本発明は、ＤＤＳ形式のテープカートリッジに限られず、ビデオカセットや音楽テープカートリッジなどにも等しく適用できる。
【図面の簡単な説明】
【００２８】
【図１】要部の横断平面図
【図２】斜視図
【図３】内部の平面図
【図４】図３のＡ−Ａ線断面図
【図５】図４のＢ−Ｂ線断面図
【図６】規制体の働きを説明する要部の横断平面図
【符号の説明】
【００２９】
１  本体ケース
２  テープ
３  テープリール
５  ポケット
７  前蓋
９  前面壁
１０  連結片
１３  前面壁の裏面
１５  規制体
１６  リブ（大）
１７  リブ（小）
【図１】
2006294138.tif 000003
【図２】
2006294138.tif 000004
【図３】
2006294138.tif 000005
【図４】
2006294138.tif 000006
【図５】
2006294138.tif 000007
【図６】
2006294138.tif 000008